(57)【要約】【課題】払拭面の繊維が基材から長く突出した構造であり、且つ消去具に配設する磁石が安価なフェライト磁石であっても、白板に対して消去具を磁力で吸着させることができる構造とする。【解決手段】ケース２に形成した凹部２ａへスポンジ部材３を配し、スポンジ部材３の表面側３ａに、基材４ａに繊維束４ｂを植毛した立毛布帛４を設置し、スポンジ部材３に形成した開口部３ｂに、表面と裏面に異なる磁極が存在する平板状に形成した２つのフェライト磁石６１，６２を、隣接する磁極が互いに異なるように吸着させて一体とした磁石体６を収容し、磁石体６の表面側６ａに立毛布帛４を隣接させると共に、磁石体６の裏面側６ｂに当該磁石体６の外形形状と等しい平板状のヨーク７を吸着させる。【選択図】図２
2013184345.tif 000002
【特許請求の範囲】
【請求項１】
払拭面を立毛布帛とした白板用の消去具であって、ケースに形成した凹部へスポンジ部材を配し、前記スポンジ部材の表面側に、基材に繊維束を植毛した立毛布帛を設置し、前記スポンジ部材に形成した開口部に、表面と裏面に異なる磁極が存在する平板状に形成した２つのフェライト磁石を、隣接する磁極が互いに異なるように吸着させて一体とした磁石体を収容し、該磁石体の表面側に前記立毛布帛を隣接させると共に、前記磁石体の裏面側に当該磁石体の外形形状と等しい平板状のヨークを吸着させた構造の消去具。
【発明の詳細な説明】
【技術分野】
【０００１】
本発明は、一般的にホワイトボードと言われる白板の筆記面に筆記されたインキによる筆跡を消去させる白板用の消去具に関する。
【背景技術】
【０００２】
従来より、白板にインキで書き込まれた文字や図形を払拭する白板用の消去具はよく知られており、例えば特開平８−６７０９６号公報に記載されているように、基材に対して化繊からなる繊維束を植毛した立毛布帛を払拭面とするものが多く、また、消去具の内部に磁石を設けることで、垂直に設置された鉄板製の白板に消去具を磁力で吸着させる構造が広く採用されている。
【０００３】
前述した払拭面は、繊維束が細かく密集しているほどインキカスを細かくでき、さらに各繊維が基材から長く突出することにより繊維間にインキカスを溜めやすく拭き取りが良好となる一方で、繊維束が長くなることにより、消去具内の磁石から鉄板である白板までの距離が遠くなって、消去具が自重で落下してしまうと言う問題が生じていた。これは前記磁石に、一般的に磁力が強くなく安価であるフェライト磁石が採用されているためであり、磁力が強いネオジム磁石を採用することにより消去具を強固に白板へ吸着させることができるものの、ネオジム磁石は高額であることから、消去具自体の価格が向上してしまうと言った問題が生じることとなる。
【先行技術文献】
【特許文献】
【０００４】
【特許文献１】特開平８−６７０９６号公報
【発明の概要】
【発明が解決しようとする課題】
【０００５】
本発明の目的は、前記従来の問題点を解決するものであって、払拭面の繊維が基材から長く突出した構造であり、且つ消去具の内部に設ける磁石が安価なフェライト磁石であっても、白板に対して消去具を磁力で吸着させることができる構造とすることである。
【課題を解決するための手段】
【０００６】
本発明は、
「払拭面を立毛布帛４とした白板用の消去具１であって、ケース２に形成した凹部２ａへスポンジ部材３を配し、前記スポンジ部材３の表面側３ａに、基材４ａに繊維束４ｂを植毛した立毛布帛４を設置し、前記スポンジ部材３に形成した開口部３ｂに、表面と裏面に異なる磁極が存在する平板状に形成した２つのフェライト磁石６１，６２を、隣接する磁極が互いに異なるように吸着させて一体とした磁石体６を収容し、該磁石体６の表面側６ａに前記立毛布帛４を隣接させると共に、前記磁石体６の裏面側６ｂに当該磁石体６の外形形状と等しい平板状のヨーク７を吸着させた構造の消去具１」である。
【０００７】
本発明で、表面と裏面とに異なる磁極が存在する平板状に形成した２つのフェライト磁石を、隣接する磁極が互いに異なるように吸着させて磁石体とし、磁石体の裏面側に平板状のヨークを吸着させるのは、磁石体の表面側において隣接する磁極間で磁力線を発生させることにより磁石体の表面方向における吸着力を向上させ、平板状のヨークを磁石体の裏面に吸着させることにより磁力線を磁石体の表面側に集中させて、磁力線を強く遠くまで飛ばすことができるためである。
【発明の効果】
【０００８】
本発明の消去具によれば、安価なフェライト磁石であっても、２つの磁石を組合わせることによって、磁石体の表面方向における吸着力を向上させると共に、平板状のヨークにより磁力線を磁石体の表面側に集中させて、磁力線を強く遠くまで飛ばすことができるので、消去具としての拭き取り性を良くするために繊維束が長く突出した立毛布帛を用いた場合においても、消去具の磁力による白板への吸着力が優れた構造にすることができる。
【図面の簡単な説明】
【０００９】
【図１】図１は本実施例の白板用の消去具を一部断面にて示した図である。
【図２】図２は消去具の縦断面図である。
【図３】図３は消去具の分解図である。
【図４】図４は消去具で白板上のインキを払拭している状態を示した図である。
【図５】図５は比較例の消去具である。
【発明を実施するための形態】
【００１０】
以下、図面を参照して本発明における白板用の消去具について説明を行う。尚、説明を分かりやすくするために、払拭面側を表面側と表現し、その反対側を裏面側と表現する。
【００１１】
以下、図１から図３を用いて本実施例の消去具について説明を行う。本実施例の白板用の消去具１は、ポリスチレンで形成した表面方向が開口した矩形状のケース２に凹部２ａを形成し、発泡ウレタンで形成した矩形状のスポンジ部材３を前記凹部２ａに嵌着し、スポンジ部材３の表面側３ａに、ポリエチレンテレフタレート製の基材４ａにナイロン製の繊維束４ｂを植毛した立毛布帛４を両面粘着テープ５で貼付け、スポンジ部材３に形成した開口部３ｂに、表面と裏面に異なる磁極が存在する平板状に形成した２つのフェライト磁石６１，６２（以降、磁石６１，６２と記載する）を、隣接する磁極が互いに異なるように吸着させて一体とした磁石体６を収容し、磁石体６の表面側６ａに立毛布帛４を隣接させると共に、磁石体６の裏面側６ｂに当該磁石体６の外形形状と等しい鉄板製の平板状のヨーク７を吸着させてある。
【００１２】
本実施例では図２に示すように、ケース２の内面に形成したリブ２ｂをスポンジ部材３の裏面側３ｃに当接させており、スポンジ部材３の開口部３ｂに、開口部３ｂの内面形状と等しい外面形状に形成した第二スポンジ部材８を嵌着させると共に、第二スポンジ部材８をヨーク７およびケース２の内面に当接させることで、ケース２に掛けた力が立毛布帛４の繊維束４ｂに伝達されるようにしてある。また本発明では、表面側と裏面側に異なる磁極が存在する平板状に形成した２つの磁石６１，６２が、磁石６１は表面にＳ極が、裏面にＮ極が向くように、磁石６２は表面にＮ極が、裏面にＳ極が向くようにして隣接させたので、磁石体６の表面方向において磁石６２のＮ極から磁石６１のＳ極へ向かう磁力線Ｇ１が発生して、磁石体６の表面方向における吸着力を向上させることができた。また磁石体６の裏面側６ｂに平板状のヨーク７を吸着させたことで、前記磁力線Ｇ１および磁石６１，６２のそれぞれの表裏方向へ発生する磁力線Ｇ２，Ｇ３が、磁石体６の表面方向において集中して強く遠くまで飛ぶことができ、結果、繊維束４ｂが長く突出していても、鉄板製の白板に対して消去具１を強く吸着させて自重による落下を防ぐことができた。
【００１３】
次に図４を用いて、本実施例の消去具で白板上のインキを払拭する作業について説明を行う。本実施例では、払拭面である立毛布帛４の繊維束４ｂを長くしてあり、またその密度も高くしてあることから、消去具１によって白板９に描かれたインキ１０は細かいインキカス１０ａとなり、また繊維間４ｃにインンキカス１０ａを多く溜めることができ、拭き取りが良好であった。さらに消去具１は磁石体６の磁力によって鉄板製の白板９に対して強く吸着されることから、使用者が意識して消去具１を白板９に押し付けなくとも、磁石体６による磁力で繊維束４ｂが白板９に圧接されることで、容易にインキ１０の消去を行うことができた。
【００１４】
図５は比較例の白板用の消去具１ａであり、内部に、前記実施例の磁石６１と磁石６２とを組合わせた寸法のフェライト磁石６０を、ヨークを配設しないで収容してある点を除くと、前記消去具１と同様である。比較例の消去具１ａは、磁力線Ｇ４が磁石６０のＮ極（表面方向）からＳ極（裏面方向）に向かって発生しているが、その磁力線が磁石６０の表面方向において集中することはなく、また遠くまで飛ぶこともないので、繊維束４ｂが長くなることで、消去具１ａの自重を磁力で吸着しきれなく落下してしまった。
【産業上の利用可能性】
【００１５】
本発明の白板用の消去具は、インキ内に含まれる顔料や染料などの色成分が多く含まれ、インキカスが多く生じやすいインキで筆記した筆跡を拭き取る場合においても好適である。
【符号の説明】
【００１６】
１…白板用の消去具、
２…ケース、２ａ…凹部、２ｂ…リブ、
３…スポンジ部材、３ａ…表面側、３ｂ…開口部、
４…立毛布帛、４ａ…基材、４ｂ…繊維束、４ｃ…繊維間、
５…粘着剤、
６…磁石体、６ａ…表面側、６ｂ…裏面側、
６１，６２…フェライト磁石、
７…平板状のヨーク、
８…第二スポンジ部材、
９…白板、
１０…インキ、１０ａ…インキカス。
【図１】
2013184345.tif 000003
【図２】
2013184345.tif 000004
【図３】
2013184345.tif 000005
【図４】
2013184345.tif 000006
【図５】
2013184345.tif 000007